(57)【要約】【課題】インバータ及びコンデンサを用いた電動圧縮機におけるコンデンサの小型化を図る。【解決手段】電動圧縮機の電動機Ｍは、主制御コンピュータＣ１の制御を受ける。コンデンサ２９の温度を検出する温度検出器３２によって検出された温度情報は、主制御コンピュータＣ１へ送られる。副制御コンピュータＣ２は、指定回転数の情報を主制御コンピュータＣ１に送る。主制御コンピュータＣ１は、回転数と温度との組からなる制御要素マップＭｐを記憶している。制御要素マップＭｐは、直線Ｄ１，Ｄ２によって挟まれた禁止領域Ｋ（ハッチングで示す領域であって、直線Ｄ１，Ｄ２を含まない）を有している。検出温度Ｔｘと指定回転数Ｎｓとの組（Ｔｘ，Ｎｓ）が禁止領域Ｋ内にある場合には、主制御コンピュータＣ１は、禁止領域Ｋ外において検出温度Ｔｘに対応した回転数を代替して使用する代替制御を行なう。【選択図】図２
2008128193.tif 000002
【特許請求の範囲】
【請求項１】
電動機によって駆動される回転軸の回転に基づく圧縮動作体の圧縮動作によって圧縮室内の冷媒を圧縮して吐出する電動圧縮機であって、インバータ及び電流平滑化用のコンデンサを用いて、前記電動機に対する電流供給を制御する電動圧縮機における電動機駆動装置において、
前記電動機のコンデンサの温度又はコンデンサの周囲の温度を検出する温度検出手段と、
前記電動機の回転数を指定する回転数指定手段と、
前記回転数指定手段によって指定された指定回転数と、回転数と温度との組からなる制御要素マップとに基づいて、電動機の回転数制御を行なう制御手段とを備え、
前記制御要素マップには禁止領域が設けられており、前記禁止領域内の温度は、予め設定された閾値以上であり、前記制御手段は、前記温度検出手段によって検出された検出温度と前記指定回転数との組が前記禁止領域に含まれる場合には、前記禁止領域外において前記検出温度に対応した回転数を代替して使用する代替制御を行なう電動圧縮機における電動機駆動装置。
【請求項２】
前記禁止領域において前記検出温度に対応した前記回転数の範囲は、最大回転数の１／２を含む請求項１に記載の電動圧縮機における電動機駆動装置。
【請求項３】
前記禁止領域における前記回転数の範囲の上限は、温度が高くなるほど最大回転数の１／２から遠ざかるように大きくなるように設定されており、前記禁止領域における前記回転数の範囲の下限は、温度が高くなるほど最大回転数の１／２から遠ざかるように小さくなるように設定されている請求項２に記載の電動圧縮機における電動機駆動装置。
【請求項４】
前記制御手段は、代替制御を行なっているときには、前記制御要素マップにおいて前記検出温度に対応する回転数のうち、前記禁止領域内の前記検出温度に対応する回転数よりも小さい第１代替回転数と、前記制御要素マップにおいて前記禁止領域内の前記検出温度に対応する回転数よりも大きい第２代替回転数とを交互に採用する請求項３に記載の電動圧縮機における電動機駆動装置。
【請求項５】
前記制御手段は、モータ電流の値が所定値以上の場合にのみ、前記代替制御を行なう請求項１乃至請求項４のいずれか１項に記載の電動圧縮機における電動機駆動装置。
【請求項６】
前記インバータ及び前記コンデンサは、前記電動圧縮機のハウジングに組み付けられている請求項１乃至請求項５のいずれか１項に記載の電動圧縮機における電動機駆動装置。
【発明の詳細な説明】
【技術分野】
【０００１】
本発明は、電動機によって駆動される回転軸の回転に基づく圧縮動作体の圧縮動作によって圧縮室内の冷媒を圧縮して吐出する電動圧縮機における電動機駆動装置に関する。
【背景技術】
【０００２】
特許文献１に開示のように、電動圧縮機駆動用のインバータを構成するモータ駆動回路を過熱による破損から保護するため、モータ駆動回路の温度を速やかに低下させる対策がある。特許文献１に開示の電動圧縮機では、モータが回転すると、吸入側ハウジング内に流入した低温冷媒とモータ駆動回路とが仕切り壁及び伝熱フィンを介して熱交換され、モータ駆動回路が冷却される。モータ駆動回路の温度を検出する温度センサによって検出された温度が第１の基準温度以上になると、モータの回転数が上昇される。これにより、冷媒吸入量が増加し、モータ駆動回路の温度が速やかに低下する。
【０００３】
このようなインバータでは、複数の半導体素子のスイッチング動作によって生じるリップル電流を抑制するためにコンデンサが組み込まれている。
【特許文献１】特開２００３−１３９０６９号公報
【発明の開示】
【発明が解決しようとする課題】
【０００４】
コンデンサの信頼性は、コンデンサの温度とリップル電流との影響を受け、リップル電流が大きく、コンデンサの温度が高くなるほど、コンデンサの容量（つまりコンデンサの体格）を大きくする必要がある。コンデンサの体格アップは、特に車載に関してスペース的な制約条件が厳しい車載用電動圧縮機にインバータを組み付けた場合には電動圧縮機の体格アップの抑制の上で不利である。
【０００５】
本発明は、インバータ及びコンデンサを用いた電動圧縮機におけるコンデンサの小型化を図ることを目的とする。
【課題を解決するための手段】
【０００６】
本発明は、電動機によって駆動される回転軸の回転に基づく圧縮動作体の圧縮動作によって圧縮室内の冷媒を圧縮して吐出する電動圧縮機であって、電流平滑化用のコンデンサを含むインバータを用いて、前記電動機に対する電流供給を制御する電動圧縮機における電動機駆動装置を対象とし、請求項１の発明は、前記電動機のコンデンサの温度又はコンデンサの周囲の温度を検出する温度検出手段と、前記電動機の回転数を指定する回転数指定手段と、前記回転数指定手段によって指定された指定回転数と、回転数と温度との組からなる制御要素マップとに基づいて、電動機の回転数制御を行なう制御手段とを備え、前記制御要素マップには禁止領域が設けられており、前記禁止領域内の温度は、予め設定された閾値以上であり、前記制御手段は、前記温度検出手段によって検出された検出温度と前記指定回転数との組が前記禁止領域に含まれる場合には、前記禁止領域外において前記検出温度に対応した回転数を代替して使用する代替制御を行なうことを特徴とする。
【０００７】
このような禁止領域内の温度と回転数との組を用いないように電動機の駆動を制御する場合のコンデンサの容量は、禁止領域内の温度と回転数との組をも用いて電動機の駆動を制御する場合のコンデンサの容量よりも、小さくできる。
【０００８】
好適な例では、前記禁止領域において前記検出温度に対応した前記回転数の範囲は、最大回転数の１／２を含む。
リップル電流は、最大回転数の半分付近で最大になる。従って、最大回転数の半分付近で代替制御を行なうことは、コンデンサの信頼性を高める上で特に有効であり、結果的にコンデンサの小型化を図る上で特に有効である。
【０００９】
好適な例では、前記禁止領域における前記回転数の範囲の上限は、温度が高くなるほど最大回転数の１／２から遠ざかるように大きくなるように設定されており、前記禁止領域における前記回転数の範囲の下限は、温度が高くなるほど最大回転数の１／２から遠ざかるように小さくなるように設定されている。
【００１０】
回転数が５０％以下では、回転数が増大するにつれてリップル電流が増大し、回転数が５０％以上では、回転数が増大するにつれてリップル電流が低減する。従って、温度が高くなるほど禁止領域における回転数の範囲の上限及び下限を５０％から遠ざかるようにすることは、禁止領域を適正に設定する上で好ましい。
【００１１】
好適な例では、前記制御手段は、代替制御を行なっているときには、前記制御要素マップにおいて前記検出温度に対応する回転数のうち、前記禁止領域内の前記検出温度に対応する回転数よりも小さい第１代替回転数と、前記制御要素マップにおいて前記禁止領域内の前記検出温度に対応する回転数よりも大きい第２代替回転数とを交互に採用する。
【００１２】
第１代替回転数と第２代替回転数とを交互に代替して使用する代替制御は、リップル電流の最大値を抑制しつつ、冷媒流量制御の適正化に寄与する。
好適な例では、前記制御手段は、モータ電流の値が所定値以上の場合にのみ、前記代替制御を行なう。
【００１３】
リップル電流は、モータ電流が大きくなるほど、大きくなる。モータ電流の大きさを考慮した代替制御は、代替制御の頻度を減らしつつコンデンサの信頼性を向上する上で有効である。
【００１４】
好適な例では、前記インバータ及び前記コンデンサは、前記電動圧縮機のハウジングに組み付けられている。
【発明の効果】
【００１５】
本発明は、インバータ及びコンデンサを用いた電動圧縮機におけるコンデンサの小型化を図ることができるという優れた効果を奏する。
【発明を実施するための最良の形態】
【００１６】
以下、本発明をスクロール型の電動圧縮機に具体化した第１の実施形態を図１〜図４に基づいて説明する。
図１に示すように、スクロール型の電動圧縮機１０を構成する可動スクロール１１は、電動機Ｍを構成する回転軸１２の回転によって旋回し、圧縮動作体としての可動スクロール１１と固定スクロール１３との間の圧縮室１４が容積減少する。圧縮室１４内の冷媒は、吐出ポート１５から吐出弁１６を押し退けて吐出室１７へ吐出される。
【００１７】
吐出室１７とモータハウジング１８内の吸入室１８１とは、外部冷媒回路１９によって接続されている。外部冷媒回路１９上には、冷媒から熱を奪うための熱交換器２０、膨張弁２１、及び周囲の熱を冷媒に移すための熱交換器２２が介在されている。吐出室１７の冷媒は、外部冷媒回路１９へ流出し、外部冷媒回路１９へ流出した冷媒は、吸入室１８１へ還流する。吸入室１８１へ導入された冷媒は、吸入ポート２３を経由して圧縮室１４へ吸入される。
【００１８】
電動機Ｍを構成するロータ２４は、回転軸１２に止着されており、電動機Ｍを構成するステータ２５は、モータハウジング１８の内周面に固定されている。ロータ２４は、回転軸１２に止着されたロータコア２４１と、ロータコア２４１の内部に設けられた複数の永久磁石２４２とからなる。ロータコア２４１の周方向に隣り合う永久磁石２４２同士は、ステータ２５に対向する側の磁極が異なるようにしてある。
【００１９】
電動機Ｍを構成するステータ２５は、円環状のステータコア２５１と、ステータコア２５１に巻き付けられたコイル２５２とからなる。ロータ２４は、コイル２５２への通電によって回転し、回転軸１２は、ロータ２４と一体的に回転する。モータハウジング１８の外周面にはインバータ２６が組み付けられている。コイル２５２への通電は、インバータ２６を介して行われる。
【００２０】
図２（ａ）に示すように、インバータ２６は、モータ駆動回路２７と、モータ駆動回路２７を制御する主制御コンピュータＣ１とから構成されている。モータ駆動回路２７は、半導体スイッチング素子である複数のトランジスタ２８Ａ，２８Ｂと、電流平滑化用のコンデンサ２９とを備えている。トランジスタ２８Ａ，２８Ｂにはダイオード３０が接続されている。ダイオード３０は、電動機Ｍで発生する逆起電力を直流電源３１に還流させるためのものである。
【００２１】
トランジスタ２８Ａ，２８Ｂのベース側は、主制御コンピュータＣ１に信号接続されている。トランジスタ２８Ａのエミッタ側は、直流電源３１に接続されており、トランジスタ２８Ａのコレクタ側は、電動機Ｍのコイル２５２に接続されている。トランジスタ２８Ｂのコレクタ側は、直流電源３１に接続されており、トランジスタ２８Ｂのエミッタ側は、電動機Ｍのコイル２５２に接続されている。
【００２２】
主制御コンピュータＣ１は、トランジスタ２８Ａ，２８Ｂのスイッチング動作を制御して電動機Ｍの回転数を制御する。
図１に示すように、インバータ２６には温度検出器３２が設けられている。温度検出器３２は、コンデンサ２９の温度を検出する。コンデンサ２９の温度を検出する温度検出手段としての温度検出器３２によって検出された温度情報は、主制御コンピュータＣ１へ送られる。主制御コンピュータＣ１は、図２（ｂ）に示す回転数と温度との組からなる制御要素マップＭｐを記憶している。制御要素マップＭｐは、直線Ｄ１，Ｄ２によって挟まれた禁止領域Ｋ（ハッチングで示す領域であって、直線Ｄ１，Ｄ２を含む）を有している。Ｎmaxは、最大回転数を表す。禁止領域Ｋ内の温度は、予め設定された閾値Ｔ１より大きく、直線Ｄ１，Ｄ２の交点Ｐｏは、閾値Ｔ１とＮmax／２との組（Ｎmax／２）に対応する。又、禁止領域Ｋにおける回転数の範囲の上限は、温度が高くなるほど最大回転数Ｎmaxの１／２から遠ざかるように大きくなり、禁止領域Ｋにおける回転数の範囲の下限は、温度が高くなるほど最大回転数Ｎmaxの１／２から遠ざかるように小さくなる。
【００２３】
主制御コンピュータＣ１には副制御コンピュータＣ２が信号接続されている。副制御コンピュータＣ２には空調装置作動スイッチ３３、室温検出器３４及び室温設定器３５が信号接続されている。空調装置作動スイッチ３３がＯＮ状態にある場合、副制御コンピュータＣ２は、室温設定器３５によって設定された目標室温Ｔ２と、室温検出器３４によって検出された検出室温Ｔｙとの差（Ｔｙ−Ｔ２）＝Δｙの情報を主制御コンピュータＣ１に送る。又、副制御コンピュータＣ２は、差Δｙに応じた指定回転数Ｎｓを主制御コンピュータＣ１に指定する。この指定回転数Ｎｓは、検出室温Ｔｙを目標室温Ｔ２に収束させるように設定された回転数である。
【００２４】
図４は、電動機Ｍのコイル２５２に対する電流供給制御プログラムを表すフローチャートであり、主制御コンピュータＣ１は、図４のフローチャートで示す電流供給制御を遂行する。図４のフローチャートで示す電流供給制御は、所定の制御周期で繰り返し遂行される。以下、主制御コンピュータＣ１による電流供給制御を説明する。
【００２５】
主制御コンピュータＣ１は、差Δｙの情報及び指定回転数Ｎｓの情報を取り込む（ステップＳ１）。又、主制御コンピュータＣ１は、温度検出器３２によって検出された検出温度Ｔｘの情報を取り込む（ステップＳ１）。
【００２６】
主制御コンピュータＣ１は、閾値Ｔ１と検出温度Ｔｘとの大小比較を行なう（ステップＳ２）。検出温度Ｔｘが閾値Ｔ１を下回る場合（ステップＳ２においてＮＯ）、主制御コンピュータＣ１は、通常制御を行なう（ステップＳ７）。通常制御とは、指定回転数Ｎｓとなるようにモータ電流（負荷）を決めて、インバータ２６のスイッチング動作を制御することである。これにより、電動機Ｍが指定回転数Ｎｓで回転する。
【００２７】
検出温度Ｔｘが閾値Ｔ１以上である場合（ステップＳ２においてＹＥＳ）、主制御コンピュータＣ１は、検出温度Ｔｘと指定回転数Ｎｓとの組（Ｔｘ，Ｎｓ）が禁止領域Ｋ内にあるか否かを判断する（ステップＳ３）。組（Ｔｘ，Ｎｓ）が禁止領域Ｋ内にない場合（ステップＳ３においてＮＯ）、主制御コンピュータＣ１は、通常制御を行なう（ステップＳ７）。
【００２８】
組（Ｔｘ，Ｎｓ）が禁止領域Ｋ内にある場合（ステップＳ３においてＹＥＳ）、主制御コンピュータＣ１は、差Δｙが正か負かの判断を行なう（ステップＳ４）。差Δｙが正である状態は、検出温度Ｔｘが目標室温Ｔ２よりも高い状態であり、差Δｙが負である状態は、検出温度Ｔｘが目標室温Ｔ２よりも低い状態である。差Δｙが正又は０である場合、主制御コンピュータＣ１は、組（Ｔｘ，ＮｓＨ）を代替使用する（ステップＳ５）。差Δｙが負である場合、主制御コンピュータＣ１は、組（Ｔｘ，ＮｓＬ）を代替使用する（ステップＳ６）。組（Ｔｘ，ＮｓＨ）が代替使用された場合には、電動機Ｍは、回転数ＮｓＨで回転し、目標室温Ｔ２より低い検出室温Ｔｙが目標室温Ｔ２に近づくように上昇する。組（Ｔｘ，ＮｓＬ）が代替使用された場合には、電動機Ｍは、回転数ＮｓＬで回転し、目標室温Ｔ２より高い検出室温Ｔｙが目標室温Ｔ２に近づくように低下する。
【００２９】
例えば、図２（ｂ）に示すように検出温度ＴｘがＴｘｅ（＞Ｔ１）である場合、ＮｓＨとしては、検出温度Ｔｘｅに対応する点Ｐ１〔直線Ｄ１から所定回転数ΔＮ離れ、且つ検出温度Ｔｘｅに対応する点〕を表す組（Ｔｘｅ，ＮｓＨｅ）のＮｓＨｅが採用される。又、ＮｓＬとしては、検出温度Ｔｘｅに対応する点Ｐ２〔直線Ｄ２から所定回転数ΔＮ離れ、且つ検出温度Ｔｘｅに対応する点〕を表す組（Ｔｘｅ，ＮｓＬｅ）のＮｓＬｅが採用される。差Δｙが正と負との間で変転すると、電動機Ｍの回転数は、図３（ｃ）に波形Ｒで示すように変転する。主制御コンピュータＣ１は、代替制御を行なっているときには、検出温度Ｔｘに対応する回転数のうち、禁止領域Ｋ内の検出温度Ｔｘ〔図２（ｂ）の例ではＴｘｅ〕に対応する指定回転数Ｎｓ〔図２（ｂ）の例ではＴｓｅ〕よりも小さい第１代替回転数ＮｓＬと、指定回転数Ｎｓよりも大きい第２代替回転数ＮｓＨとを交互に採用する。
【００３０】
ステップＳ５、ステップＳ６又はステップＳ７の処理後、主制御コンピュータＣ１は、ステップＳ１へ移行する。
副制御コンピュータＣ２は、電動機Ｍの回転数を指定する回転数指定手段である。主制御コンピュータＣ１は、回転数指定手段によって指定された指定回転数と、回転数と温度との組からなる制御要素マップＭｐとに基づいて、電動機Ｍの回転数制御を行なう制御手段である。主制御コンピュータＣ１は、検出温度Ｔｘと指定回転数Ｎｓとの組（Ｔｘ，Ｎｓ）が禁止領域Ｋに含まれる場合には、禁止領域Ｋ外において検出温度Ｔｘに対応した回転数を代替して使用する代替制御を行なう。
【００３１】
第１の実施形態では以下の効果が得られる。
（１）図３（ａ）のグラフにおける曲線Ｅは、電圧利用率（％）とリップル電流との関係を示す。リップル電流は、電圧利用率が５０％で最大となり、電圧利用率が５０％以下の領域では、電圧利用率が増大するにつれてリップル電流が増大し、電圧利用率が５０％以上の領域では、電圧利用率が増大するにつれてリップル電流が低減する。電圧利用率と回転数とは、図３（ｂ）に示すような関係にある。コイル２５２に供給される電流（モータ電流）の上限値をＩmaxとすると、線Ｌ１は、モータ電流（負荷）が上限値Ｉmaxのときの電圧利用率と回転数との関係を示す。線Ｌ２は、モータ電流（負荷）が上限値Ｉmaxの例えば１／２のときの電圧利用率と回転数との関係を示し、線Ｌ３は、モータ電流（負荷）が上限値Ｉmaxの例えば３／１０のときの電圧利用率と回転数との関係を示す。図３（ｂ）のグラフは、電圧利用率と回転数とが略線形の比例関係にあることを示している。従って、回転数とリップル電流との関係は、電圧利用率とリップル電流との関係〔図３（ａ）に曲線Ｅで示す関係〕と略同様になる。そこで、回転数が最大回転数Ｎmaxの半分Ｎmax／２の付近にあって、検出温度Ｔｘが高いという状況を回避すれば、リップル電流の最大値を低減することができる。
【００３２】
禁止領域Ｋは、回転数が最大回転数Ｎmaxの半分Ｎmax／２の付近にあって、検出温度Ｔｘが高いという状況を回避するために設定されたものである。このような禁止領域Ｋ内の検出温度Ｔｘと指定回転数Ｎｓとの組（Ｔｘ，Ｎｓ）を用いないように電動機Ｍの駆動を制御する場合のコンデンサ２９の容量は、禁止領域Ｋ内の組（Ｔｘ，Ｎ）をも用いて電動機Ｍの駆動を制御する場合のコンデンサ２９の容量よりも、小さくできる。
【００３３】
（２）リップル電流が大きくなるほど、コンデンサ２９の信頼性が低下するが、リップル電流は、回転数が最大回転数Ｎmaxの半分のときに最大あるいは最大近くとなる。従って、検出温度Ｔｘが閾値Ｔ１以上であって、且つ指定回転数Ｎｓが最大回転数Ｎmaxの半分程度であるときに代替制御を行なうことは、コンデンサ２９の信頼性を高める上で特に有効であり、結果的にコンデンサ２９の小型化を図る上で特に有効である。
【００３４】
（３）回転数が５０％以下では、回転数が増大するにつれてリップル電流が増大し、回転数が５０％以上では、回転数が増大するにつれてリップル電流が低減する。従って、温度が高くなるほど禁止領域Ｋにおける回転数の範囲の上限及び下限を５０％から遠ざかるようにすることは、禁止領域Ｋを適正に設定する上で好ましい。
【００３５】
（４）禁止領域Ｋ内の検出温度に対応する回転数よりも小さい第１代替回転数ＮｓＬと大きい第２代替回転数ＮｓＨとに交互に代替する代替制御は、リップル電流の最大値を抑制しつつ、検出室温Ｔｙを目標室温Ｔ２に合わせるという冷媒流量制御の適正化に寄与する。
【００３６】
（５）電動圧縮機１０のハウジング（本実施形態ではモータハウジング１８）にインバータ２６及びコンデンサ２９を組み付けた構成では、コンデンサ２９の大きさが電動圧縮機１０の体格に影響を与える。コンデンサ２９の小型化をもたらす本発明は、ハウジングにインバータ２６及びコンデンサ２９を組み付けた電動圧縮機１０への適用に特に好適である。
【００３７】
次に、図５のフローチャートで示す第２の実施形態を説明する。
第２の実施形態では、ステップＳ１の内容が第１の実施形態の場合のステップＳ１と異なり、ステップＳ３の内容が第１の実施形態の場合のステップＳ３と異なる。
【００３８】
ステップＳ１では、主制御コンピュータＣ１は、差Δｙの情報、指定回転数Ｎｓの情報、及び検出温度Ｔｘの情報以外にも、検出されたモータ電流Ｉの情報を取り込む。ステップＳ３では、主制御コンピュータＣ１は、検出温度Ｔｘと指定回転数Ｎｓとモータ電流Ｉとの組（Ｔｘ，Ｎｓ，Ｉ）が禁止領域内にあるか否かを判断する。この場合の禁止領域は、第１の実施形態における禁止領域Ｋと、モータ電流が所定値Ｉｏを超える領域との組み合わせ領域のことである。検出されたモータ電流Ｉが所定値Ｉｏを超えない場合には、検出温度Ｔｘと指定回転数Ｎｓとの組（Ｔｘ，Ｎｓ）が禁止領域Ｋ内にある場合であっても、代替制御は行われず、組（Ｔｘ，Ｎｓ）が禁止領域Ｋ内にあり、且つＩ≧Ｉｏのときにのみ代替制御が行われる。
【００３９】
リップル電流は、モータ電流の大きさにほぼ比例するため、第２の実施形態のように、コンデンサ２９の温度が高く、且つモータ電流が大きい場合にのみ、代替制御を行うようにすることにより、コンデンサ２９の小型化を図りつつコンデンサ２９の信頼性を確保することができる。又、代替制御の頻度が第１の実施形態の場合よりも減り、回転数変動に伴う騒音変動が低減する。
【００４０】
本発明では以下のような実施形態も可能である。
○コンデンサ２９の周囲の温度（例えばモータ駆動回路２７の温度や、インバータ２６付近のモータハウジング１８の温度）を検出し、この検出情報に基づいて代替制御の是非を判断するようにしてもよい。
【００４１】
○第１の実施形態における禁止領域Ｋの境界となる直線Ｄ１，Ｄ２の代わりに、曲線の境界を採用してもよい。
○本発明をピストン式電動圧縮機に適用してもよい。
【００４２】
○本発明を可変容量型電動圧縮機に適用してもよい。
【図面の簡単な説明】
【００４３】
【図１】第１の実施形態を示すスクロール型電動圧縮機全体の側断面図。
【図２】（ａ）は、インバータを示す回路図。（ｂ）は、代替制御を説明するためのグラフ。
【図３】（ａ）は、電圧利用率とリップル電流との関係を示すグラフ。（ｂ）は、回転数と電圧利用率との関係を示すグラフ。（ｃ）は、代替制御を説明するためのグラフ。
【図４】電流供給制御プログラムを表すフローチャート。
【図５】第２の実施形態を示すフローチャート。
【符号の説明】
【００４４】
１０…スクロール型電動圧縮機。１１…圧縮動作体としての可動スクロール。１２…回転軸。１４…圧縮室。１８…ハウジングとしてのモータハウジング。２６…インバータ。２９…コンデンサ。３２…温度検出手段としての温度検出器。Ｍ…電動機。Ｃ１…制御手段としての主制御コンピュータ。Ｃ２…回転数指定手段としての副制御コンピュータ。Ｋ…禁止領域。Ｍｐ…制御要素マップ。Ｔｘ…検出温度。Ｔ１…閾値。Ｎｓ…指定回転数。ＮｓＬ…第１代替回転数。ＮｓＨ…第２代替回転数。
【図１】
2008128193.tif 000003
【図２】
2008128193.tif 000004
【図３】
2008128193.tif 000005
【図４】
2008128193.tif 000006
【図５】
2008128193.tif 000007